(57)【要約】【課題】  ホールドを安定に取付ける際の取付け可能領域、個数及びサイズを拡大し、取付けの自由度が高くて容易かつ安価に構築できる人工壁を提供すること。【解決手段】  実質的に平坦な壁面を有する平面形状が三角形等の多角形のパネル要素１８ａ〜１８ｍが、各側縁にて所定の角度で、山折り又は谷折りの直線状接合部をなして互いに接合され、少なくともこのパネル要素接合体を単位区画として組み立てられたクライミングウォールとしてのモジュール式パネル１〜３。【選択図】          図３
2007222202.tif 000002
【特許請求の範囲】
【請求項１】
実質的に平坦な壁面を有する平面形状が多角形の第１壁面構成要素及び第２壁面構成要素が、各側縁にて所定の角度で互いに接合され、少なくともこの接合体を単位区画として組み立てられた人工壁。
【請求項２】
前記第１壁面構成要素及び前記第２壁面構成要素が三角形の板材からなっている、請求項１に記載した人工壁。
【請求項３】
前記三角形の板材に、更に四角形の板材が接合される、請求項２に記載した人工壁。
【請求項４】
前記単位区画の後方への垂直投影形状が互いに同一である、請求項１に記載した人工壁。
【請求項５】
前記第１壁面構成要素及び前記第２壁面構成要素がそれぞれ異なる長さの辺を有していて、それらの組み合わせによって所定の表面凹凸形状が形成されている、請求項１に記載の人工壁。
【請求項６】
前記第１壁面構成要素及び前記第２壁面構成要素の各壁面に、必要な取付け物が取り付けられている、請求項１に記載した人工壁。
【請求項７】
前記取付け物がホールドである登攀用のクライミングウォールを構成する、請求項６に記載した人工壁。
【発明の詳細な説明】
【技術分野】
【０００１】
本発明は、フリークライミングに好適な人工壁に関するものである。
【背景技術】
【０００２】
従来、フリークライミングは、欧米では人気スポーツのひとつに数えられ、各地で競技等が行われている。フリークライミングの競技は、例えば図１７（Ａ）に示すように、人工壁（クライミングウォール）の登攀面を舞台に登攀者が規定時間内にどこまで高く登れるかを競い合う競技であり、人工壁に登る際に手掛かりや足掛かりになるホールドが配置される。
【０００３】
ここで、フリークライミングの種類やクライミングウォール等について説明する。
【０００４】
フリークライミングの種類
フリークライミングとは、ロッククライミングの１ジャンルで、自分の手と足とだけを使って壁を登っていくスポーツである。墜落を止めるためにロープを使うが、登るための手段として道具を使わないのがフリークライミングの特徴である。
【０００５】
フリークライミングには、ロープを使って１０数ｍの壁を登るリードクライミングと、ロープを使わないで安全に着地できる程度の高さを登るボルダリングとがある。
【０００６】
ボルダリングでは、壁の下にはマットが敷いてあり、特殊な道具も必要ないので、はじめての人でも気軽に登ることができる。また、フリークライミングは、近年、人工で作成した岩場（人工壁又はクライミングウォール）で行うことがポピュラーになっている。
【０００７】
クライミングウォール
リードクライミング用のクライミングウォールは、基本的には、高さ１０ｍ〜１５ｍ位の壁面と、クライマー（登攀者）の手掛かりとなるホールドと、ロープを掛けるためにクライミングウォールの途中や上部に配した支点とにより構成されている。即ち、クライミングウォールの壁面にある取手をホールドとし、ロープを掛ける場所を支点とすることができる。
【０００８】
クライミングウォールの種類には、クライミングのジャンルによりクライミングウォールとボルダリングウォールとの２種類がある。
【０００９】
ボルダリングウォールは、高さ４ｍ前後でロープを付けないで登ることを前提としていて、下部にはマットを敷設している。なお、直径数ｍの岩のことをボルダーと言うが、ボルダリングとは、それを登ることが転じてできた言葉である。
【００１０】
クライミングルート
クライマーが登るクライミングルートはホールドの配置等によって構成され、クライミングウォールの登攀面に対し数１０ｃｍピッチに取り付けられたホールドを手掛かり及び足掛かりにして登る。
【００１１】
クライミングの競技は、墜落するまでの到達高度で競われる。競技の際は、クライミングウォールに１ルートしかないように設置されるが、一般期（トレーニング期間中）には、多くのホールドを取付け、その各々のホールドに例えばシールやテープでマーキングしてルートを表示する方法がとられている。
【００１２】
また、ホールドの色別でルートを設置することができ、一例として、赤色のホールドから構成されるルートを初級者向けのルートとし、青色又は茶色のホールドから構成されるルートを中級者向けのルートとし、緑色のホールドから構成されるルートを上級者向けのルートとすることができる。
【００１３】
クライミングウォールの概要
【００１４】
クライミングウォールは、自然の岩場を模倣したクライミング用の施設である。それらは、自然の岩場の機能をよりシステマティックにまとめており、例えば、ボルダリングウォール、マット、終了点、トップロープバー、クライミングボード、リードクライマー、ランニングビレイ、ビレイヤー、ホールド及びトップロープクライマー等からなる。
【００１５】
ボルダリングウォールは、ボルダリングをするための高さの低い壁である。マットは、ボルダリングにおける着地の緩衝材として利用される。終了点は、クライマーがこの位置まで上り、ロープを掛けて降りる点であり、トップロープの支点としても使用する。トップロープバーは、ロープを掛けるバーである。クライミングボードは、クライミング用の壁材で、所々にホールドの取付け孔がある。リードクライマーは、下からロープ確保されて登るクライマーのことであり、本来のフリークライミングのスタイルである。
【００１６】
また、ランニングビレイは、壁の途中にある支点であり、登る際にはロープを通して行く。ビレイヤー（確保者）は、確保器にセットしているロープを操作して、墜落停止を行う。ホールドは、手掛かりとなる岩の突起を模したプラスチック製品で、クライミングウォールのメインパーツである。トップロープクライマーは、上からのロープによって確保されたクライマーであり、この形式は一般的に練習用として使われる。
【００１７】
高さ別の施設の分類
例えば、高さ３ｍ〜５ｍの施設は、ボルダーウォールであり、ロープによる確保はない。高さ５ｍ〜８ｍの施設は、トップロープウォールであり、上からのロープによる確保がある。なお、ロープを完全にクリップするには、ロープを手繰りながら落ちても地上まで落ちないぐらいの高さがないと、リードクライミングにおいては危険である。高さ８ｍ以上の施設は、リードウォールであり、一般的にリードクライミングを行うのに安全な高さである。もちろんトップロープを用いてもよい。
【００１８】
図１７（Ａ）は、人工壁（クライミングウォール）６７の概略構成を示す斜視図であり、登攀者６９が図示されている。
【００１９】
人工壁６７は壁状の構造物であり、その表面に登攀面７５が形成される。登攀面７５には、登攀者６９が手掛かりや足掛かりにするホールド５９が複数箇所に着脱自在に取付けられる。ホールド５９は着脱及び交換することで、登攀の難易度を変えることができる。そして、ホールド５９を掴んだり、足を掛けたりしながら、登攀者６９は登攀面７５を登る。登攀面７５を登ることで、岩登りの訓練や競技、筋力トレーニング等を行う。
【００２０】
以下に、人工壁６７について詳しく説明する。
【００２１】
従来、人工壁６７は、図１７（Ａ）に示すように、登攀面７５を形成しているパネル部材７７と、ホールド５９とを備える。なお、ホールド５９の取付け部材等とパネル部材７７とをまとめて壁体７８ということがある。さて、ホールド５９の取付け部材等としては、インナーホールドを取付ける凹部を備えたインナーカップや、アウターホールドを取付ける埋め込みアンカー等がある。
【００２２】
主にコンクリートを人工壁の構造体として説明すると、人工壁６７用の壁体７８としては、パネル部材７７にコンクリート、木材、鋼板、強化プラスチック等を用いるが、建物や構造物のコンクリート壁等を人工壁６７のパネル部材７７として構造の一部に兼用できる。例えば、コンクリートを用いると、インナーカップ等の取付け部材を埋設でき、簡易で安価な壁体７８となる。
【００２３】
また、コンクリートは、木材や鋼板に比べて起伏のある登攀面７５が得られ、人工壁６７の表面を自然の岩肌に近づけることができ、しかも樹脂や木材等で形成された板材に比べて強度が高くて耐久性に優れた壁体７８を形成できる。
【００２４】
ホールドは、人工壁の表面に設置される、取外し可能な独立した把手である。多くは人工樹脂からなり、大きさは概ね直径５ｃｍ〜１５ｃｍ位である。
【００２５】
ホールドには、登攀面に対して窪んだ位置に取付けられるインナーホールドと、登攀面に直接取付けられるアウターホールドとがある。
【００２６】
図１７（Ｂ）を参照しつつ、従来のアウターホールド５９の取付け方法の一例を説明する。
【００２７】
コンクリート５１製の構造体（壁体７８）からなる人工壁６７のパネル部材７７に、ドリルで穴をあけてアンカー５０を打ち込む。次に、手や足をかける突起部５７を具備するアウターホールド５９を固定するための六角ボルト５８を、アウターホールド５９本体にある取付け用貫通孔５２に通してアンカー５０の雌ねじ孔９０にねじ込むことにより、登攀面７５に固定する。
【００２８】
また、図１８には、人工壁の具体例が示されている（後述の特許文献１を参照）。
【００２９】
これは、標準要素で作られたモジュール式の起伏の多い表面を備えた人工登攀壁である。具体的には、各側縁又は各コーナーが５つの高さ０、ｈ、２ｈ、３ｈ及び４ｈのいずれかに配置された３種のグループのいずれかに属する４枚のパネル要素１０Ｄ、６、１３Ｄ及び１など、表面が特定の曲面形状をなすパネル要素の配置と組み合わせにより、種々の斜面、勾配、下り坂又はオーバーハングを連続した５つの高さｈ、２ｈ、３ｈ、４ｈ及び５ｈで得ることができる。
【００３０】
【特許文献１】特許第２８７８００５号公報（第４頁左欄４行目〜１１行目、図１６）
【発明の開示】
【発明が解決しようとする課題】
【００３１】
しかし、上述の特許文献１に示された登攀壁においては、様々な曲面形状の表面を有する複数のパネル要素を選択して互いに接合しているため、各パネル要素の側縁同士が適合するように組み合わせる必要がある。従って、各パネル要素同士を組み合わせる上でその選択の自由度が低く、組み合わせて構築する作業が容易ではない。
【００３２】
しかも、各パネル要素の表面が曲面となっているので、各パネル要素は、成形上の理由から、ＦＲＰ（繊維強化プラスチック）やＧＲＣ（グラスファイバー強化コンクリート）等の材質でしか成形することができず、製作コストが高価になり易い。
【００３３】
更に、図１９（Ａ）に上記したパネル要素と同等のパネル要素２で示すように、登攀面７５を形成するパネル面８１が曲面からなるために、図１９（Ｂ）に示すように、平坦な底面（取付け面）を有するアウターホールド５９ａ、５９ｂ及び５９ｃを登攀面７５の所定位置のアンカー（ここでは図示せず）にボルト５８でそれぞれ取付ける際に、各アウターホールドの底面と登攀面７５との密着性に違いが生じてしまう。即ち、アウターホールド５９ｂように、登攀面７５の平坦部分に密着して取付けが比較的安定した状態になるものと、アウターホールド５９ａ及び５９ｃのように、登攀面７５の曲面部分との間に隙間が生じて取付けが不安定な状態になるものとがある。従って、各アウターホールドを安定に取付けることのできる領域が限定され、また取付け可能なホールドの個数やサイズ等も制約される。
【００３４】
本発明は、このような状況に鑑みてなされたものであって、その目的は、主としてホールドを安定して取付ける際の取付け可能領域、個数及びサイズを拡大することができ、取付けの自由度が高くて、容易かつ安価に構築できる人工壁を提供することにある。
【課題を解決するための手段】
【００３５】
即ち、本発明は、実質的に平坦な壁面を有する平面形状が多角形の第１壁面構成要素及び第２壁面構成要素が、各側縁にて所定の角度で互いに接合され、少なくともこの接合体を単位区画として組み立てられた人工壁に係わるものである。
【発明の効果】
【００３６】
本発明の人工壁は、実質的に平坦な壁面を有する平面形状が多角形の第１壁面構成要素及び第２壁面構成要素を組み合わせ、これを単位区画として立体的に構築する構造であるので、これらの第１壁面構成要素及び第２壁面構成要素の側縁が直線形状をなしていることによってそれぞれの各側縁を互いに接合するのが容易となり、各壁面構成要素の側縁の直線長ささえ適合させれば、組み合わせの自由度が高くなり、従って人工壁を構築する作業が容易になる。
【００３７】
しかも、実質的に平坦で各側縁が直線形状である前記第１壁面構成要素及び第２壁面構成要素は、材質として既存の板材等を使用することができるので、これらの壁面構成要素を容易かつ安価に作製することができる。
【００３８】
更にまた、前記第１壁面構成要素及び第２壁面構成要素の各壁面が実質的に平坦であるので、その壁面に対してホールドの取付け面が密接し、ホールドを安定して取付けることのできる領域が拡大し、取付け可能なホールドの個数やサイズ等も増大させることができる。
【発明を実施するための最良の形態】
【００３９】
本発明においては、前記人工壁に所望の表面凹凸形状を設ける上で、前記第１壁面構成要素及び前記第２壁面構成要素が三角形の板材からなっているのが望ましい。この場合に、前記三角形の板材に、更に四角形の板材が接合されていてもよい。
【００４０】
また、前記接合体が前記単位区画をそれぞれ構成し、これらの単位区画の後方への垂直投影形状が互いに同一であるのが望ましい。これにより、単位区画を複数用いて人工壁を構築する際に、それぞれの単位区画を組み合わせれば、容易に構築することができる。
【００４１】
また、前記人工壁の表面の所定位置に凹凸形状を設ける上で、前記第１壁面構成要素及び前記第２壁面構成要素がそれぞれ異なる長さの辺を有していて、それらの組み合わせによって所定の表面凹凸形状が形成されるのが望ましい。
【００４２】
また、前記第１壁面構成要素及び前記第２壁面構成要素の各壁面に、必要な取付け物、特にホールドが取付けられることにより、登攀用のクライミングウォールを構成することができる。
【００４３】
次に、本発明の好ましい実施の形態を図１〜図１６の参照下に具体的かつ詳細に説明する。
【００４４】
＜モジュール式パネルの構築例＞
まず、図１〜図３に、クライミングウォールを構築するモジュール式パネル１〜３の構築例をその一部分について示す。
【００４５】
後述する三角形又は四角形の平板（板材）からなる各パネル要素を組み合わせて、複雑な立体形状（表面凹凸形状）の壁面を有する下記のモジュール式パネル１、モジュール式パネル２及びモジュール式パネル３からなる各クライミングウォールを構築する。各パネル要素は後述するａ〜ｍのいずれかで示し、各パネル要素の辺に付した数字はその辺長（単位はｍｍ）である。また、各パネル要素は連結手段によって支持面（いずれも図示省略）に支持されるものとする。
【００４６】
一例として、２枚の三角形の平板（第１壁面構成要素及び第２壁面構成要素）の接合体、又は１枚の四角形（他の壁面構成要素）の平板を単位区画とし、この単位区画のパネル面後方への垂直投影形状をすべて同一サイズの投影面積１ｍ×１ｍの正方形とし、またこの単位区画で形成される基本の格子ユニットをすべて直六面体（底面が１ｍ×１ｍであり、高さはｈ（５００ｍｍ）又は２ｈ（１０００ｍｍ））とし、各側面（側縁）を接して格子ユニット同士を連接させる。
【００４７】
このとき、側面の対角線（各パネル要素の縁）を両ユニット間で共役となる同じ長さ（１０００ｍｍ、１１１８ｍｍ、１４１４ｍｍ、１５００ｍｍ又は１７３２ｍｍ）にして上下左右に連接させることによって、モジュール式の起伏の多い表面を呈するクライミングウォールを組み立てることができる。なお、以下においては、寸法単位ｍｍを省略して数字のみを表示する。
【００４８】
モジュール式パネル１
図１に示すモジュール式パネル１は、基本の格子ユニット（パネル要素接合体）の投影形状のサイズを１０００×１０００、高さ（ｈ）を５００にしてクライミングウォールを構築するものである。なお、同図（Ａ）ではパネルの一部分を示し、同図（Ｂ）ではサイズを付して示している（以下、同様）。
【００４９】
また、基本の格子ユニットは、図面左から右へ向かって第１列〜第２列の２列と、図面手前から奥へ向かって第１行〜第３行の３行とからなる計６ユニット（２０００（列）×３０００（行）×５００（高さ））が用いられる。
【００５０】
図１（Ａ）及び図１（Ｂ）に示すように、第１列では、手前から奥へ向かって、パネル要素１８ｃ、パネル要素１８ｄ、パネル要素１８ｄ、パネル要素１８ｃ及びパネル要素１８ａが順次接合される。パネル要素１８ｃの一辺（１５００）とパネル要素１８ｄの一辺（１５００）とによって山折りの直線状接合部が形成され、パネル要素１８ｄの一辺（１５００）とパネル要素１８ｃの一辺（１５００）とによって谷折りの直線状接合部が形成され、パネル要素１８ａによって平坦部が形成される。
【００５１】
第２列では、手前から奥へ向かって、パネル要素１８ａ、パネル要素１８ｂ、パネル要素１８ｅ及びパネル要素１８ｉが順次接合される。パネル要素１８ａによって平坦部が形成され、パネル要素１８ｂの一辺（１４１４）とパネル要素１８ｅの一辺（１４１４）とによって谷折りの直線状接合部が形成され、パネル要素１８ｉによって平坦な傾斜部が形成される。
【００５２】
また、第１行では、左から右へ向かって、パネル要素１８ｃ、パネル要素１８ｄ及びパネル要素１８ａが順次接合される。パネル要素１８ｄの一辺（１０００）とパネル要素１８ａの一辺（１０００）とによって谷折りの直線状接合部が形成される。
【００５３】
第２行では、左から右へ向かって、パネル要素１８ｄ、パネル要素１８ｃ、パネル要素１８ｅ及びパネル要素１８ｂが順次接合される。パネル要素１８ｃの一辺（１１１８）とパネル要素１８ｅの一辺（１１１８）とによって山折りの直線状接合部が形成される。
【００５４】
第３行では、左から右へ向かって、パネル要素１８ａ及びパネル要素１８ｉが順次接合される。更に、パネル要素１８ａの一辺（１０００）とパネル要素１８ｉの一辺（１０００）とによって山折りの直線状接合部が形成される。
【００５５】
モジュール式パネル２
図２に示すモジュール式パネル２は、基本の格子ユニットの投影形状のサイズを１０００×１０００、１段の高さ（ｈ）を５００、２段目の高さ（２ｈ）を１０００にしてクライミングウォールを構築するものである。
【００５６】
また、基本の格子ユニットは、図面左から右へ向かって第１列〜第２列の２列と、図面手前から奥へ向かって第１行〜第２行の２行とからなる計４ユニット（２０００（列）×２０００（行）×１０００（高さ））が用いられる。
【００５７】
図２（Ａ）及び図２（Ｂ）に示すように、第１列では、手前から奥へ向かって、パネル要素１８ｄ、パネル要素１８ｆ、パネル要素１８ｄ及びパネル要素１８ｃが順次接合される。パネル要素１８ｄの一辺（１５００）とパネル要素１８ｆの一辺（１５００）とによって谷折りの直線状接合部が形成され、パネル要素１８ｄの一辺（１５００）とパネル要素１８ｃの一辺（１５００）とによって谷折りの直線状接合部が形成される。
【００５８】
第２列では、手前から奥へ向かって、パネル要素１８ｃ、パネル要素１８ｄ、パネル要素１８ｆ及びパネル要素１８ｄが順次接合される。パネル要素１８ｃの一辺（１５００）とパネル要素１８ｄの一辺（１５００）とによって山折りの直線状接合部が形成され、パネル要素１８ｆの一辺（１５００）とパネル要素１８ｄの一辺（１５００）とによって山折りの直線状接合部が形成される。
【００５９】
また、第１行では、左から右へ向かって、パネル要素１８ｆ、パネル要素１８ｄ、パネル要素１８ｃ及びパネル要素１８ｄが順次接合される。パネル要素１８ｄの一辺（１１１８）とパネル要素１８ｃの一辺（１１１８）とによって平坦な傾斜部が形成される。
【００６０】
第２行では、左から右へ向かって、パネル要素１８ｄ、パネル要素１８ｃ、パネル要素１８ｄ及びパネル要素１８ｆが順次接合される。パネル要素１８ｃの一辺（１１１８）とパネル要素１８ｄの一辺（１１１８）とによって平坦な傾斜部が形成される。
【００６１】
モジュール式パネル３
図３に示すモジュール式パネル３は、基本の格子ユニットの投影形状のサイズを１０００×１０００、高さ（ｈ）を５００ピッチにして、起伏が多くて登攀面が図面下から上に向かって手前にせり出しているオーバーハング形状の表面を呈するクライミングウォールを構築するものである。
【００６２】
また、基本の格子ユニットは、図面左から右へ配列された第１列〜第４列の４列と、図面上から下へ配列された第１行〜第５行の５行とからなる計２０ユニット（４０００（列）×５０００（行））が用いられる。第１行〜第５行の高さの差は２０００（２ユニット分）である。
【００６３】
図３（Ａ）及び図３（Ｂ）に示すように、第１列では、上から下へ向かって、パネル要素１８ａ、パネル要素１８ｈ、パネル要素１８ｃ、パネル要素１８ｇ、パネル要素１８ｃ、パネル要素１８ｄ及びパネル要素１８ａが順次接合される。
【００６４】
パネル要素１８ａによって平坦部が形成され、パネル要素１８ｈによって平坦な傾斜部が形成され、パネル要素１８ｃの一辺（１５００）とパネル要素１８ｇの一辺（１５００）とによって山折りの直線状接合部が形成され、パネル要素１８ｃの一辺（１５００）とパネル要素１８ｄの一辺（１５００）とによって山折りの直線状接合部が形成され、パネル要素１８ａによって平坦部が形成される。
【００６５】
第２列では、上から下へ向かって、パネル要素１８ｃ、パネル要素１８ｄ、パネル要素１８ｆ、パネル要素１８ｄ、パネル要素１８ｂ、パネル要素１８ｅ、パネル要素１８ｅ、パネル要素１８ｅ、パネル要素１８ｅ及びパネル要素１８ｂが順次接合される。
【００６６】
パネル要素１８ｃの一辺（１５００）とパネル要素１８ｄの一辺（１５００）とによって谷折りの直線状接合部が形成され、パネル要素１８ｆの一辺（１５００）とパネル要素１８ｄの一辺（１５００）とによって谷折りの直線状接合部が形成され、パネル要素１８ｂの一辺（１４１４）とパネル要素１８ｅの一辺（１４１４）とによって山折りの直線状接合部が形成され、パネル要素１８ｅの一辺（１４１４）とパネル要素１８ｅの一辺（１４１４）とによって平坦な傾斜部が形成され、パネル要素１８ｅの一辺（１４１４）とパネル要素１８ｂの一辺（１４１４）とによって谷折りの直線状接合部が形成される。
【００６７】
第３列では、上から下へ向かって、パネル要素１８ｂ、パネル要素１８ｅ、パネル要素１８ｅ、パネル要素１８ｅ、パネル要素１８ｃ、パネル要素１８ｆ、パネル要素１８ｅ、パネル要素１８ｅ、パネル要素１８ｅ及びパネル要素１８ｂが順次接合される。
【００６８】
パネル要素１８ｂの一辺（１４１４）とパネル要素１８ｅの一辺（１４１４）とによって山折りの直線状接合部が形成され、パネル要素１８ｅの一辺（１４１４）とパネル要素１８ｅの一辺（１４１４）とによって平坦な傾斜部が形成され、パネル要素１８ｃの一辺（１５００）とパネル要素１８ｆの一辺（１５００）とによって山折りの直線状接合部が形成され、パネル要素１８ｅの一辺（１４１４）とパネル要素１８ｅの一辺（１４１４）とによって平坦な傾斜部が形成され、パネル要素１８ｅの一辺（１４１４）とパネル要素１８ｂの一辺（１４１４）とによって谷折りの直線状接合部が形成される。
【００６９】
第４列では、上から下へ向かって、パネル要素１８ｂ、パネル要素１８ｅ、パネル要素１８ｄ、パネル要素１８ｃ、パネル要素１８ｈ、パネル要素１８ｉ及びパネル要素１８ａが順次接合される。
【００７０】
パネル要素１８ｂの一辺（１４１４）とパネル要素１８ｅの一辺（１４１４）とによって山折りの直線状接合部が形成され、パネル要素１８ｄの一辺（１５００）とパネル要素１８ｃの一辺（１５００）とによって山折りの直線状接合部が形成され、パネル要素１８ｈによって平坦な傾斜部が形成され、パネル要素１８ｉによって平坦な傾斜部が形成され、パネル要素１８ａによって平坦部が形成される。
【００７１】
また、第１行では、左から右へ向かって、パネル要素１８ａ、パネル要素１８ｄ、パネル要素１８ｃ、パネル要素１８ｅ、パネル要素１８ｂ、パネル要素１８ｂ及びパネル要素１８ｅが順次接合される。
【００７２】
パネル要素１８ａによって平坦部が形成され、パネル要素１８ｄの一辺（１５００）とパネル要素１８ｃの一辺（１５００）とによって谷折りの直線状接合部が形成され、パネル要素１８ｅの一辺（１４１４）とパネル要素１８ｂの一辺（１４１４）とによって山折りの直線状接合部が形成され、パネル要素１８ｂの一辺（１４１４）とパネル要素１８ｅの一辺（１４１４）とによって山折りの直線状接合部が形成される。
【００７３】
第２行では、左から右へ向かって、パネル要素１８ｈ、パネル要素１８ｆ、パネル要素１８ｄ、パネル要素１８ｅ、パネル要素１８ｅ、パネル要素１８ｃ及びパネル要素１８ｄが順次接合される。
【００７４】
パネル要素１８ｈによって平坦な傾斜部が形成され、パネル要素１８ｆの一辺（１５００）とパネル要素１８ｄの一辺（１５００）とによって谷折りの直線状接合部が形成され、パネル要素１８ｅの一辺（１４１４）とパネル要素１８ｅの一辺（１４１４）とによって平坦な傾斜部が形成され、パネル要素１８ｃの一辺（１５００）とパネル要素１８ｄの一辺（１５００）とによって山折りの直線状接合部が形成される。
【００７５】
第３行では、左から右へ向かって、パネル要素１８ｇ、パネル要素１８ｃ、パネル要素１８ｅ、パネル要素１８ｂ、パネル要素１８ｃ、パネル要素１８ｆ及びパネル要素１８ｈが順次接合される。
【００７６】
パネル要素１８ｇの一辺（１５００）とパネル要素１８ｃの一辺（１５００）とによって山折りの直線状接合部が形成され、パネル要素１８ｅの一辺（１４１４）とパネル要素１８ｂの一辺（１４１４）とによって山折りの直線状接合部が形成され、パネル要素１８ｃの一辺（１５００）とパネル要素１８ｆの一辺（１５００）とによって山折りの直線状接合部が形成され、パネル要素１８ｈによって平坦な傾斜部が形成される。
【００７７】
第４行では、左から右へ向かって、パネル要素１８ｃ、パネル要素１８ｄ、パネル要素１８ｅ、パネル要素１８ｅ、パネル要素１８ｅ、パネル要素１８ｅ及びパネル要素１８ｉが順次接合される。
【００７８】
パネル要素１８ａによって平坦部が形成され、パネル要素１８ｃの一辺（１５００）とパネル要素１８ｄの一辺（１５００）とによって谷折りの直線状接合部が形成され、パネル要素１８ｄの一辺（１１１８）とパネル要素１８ｅの一辺（１１１８）とによって谷折りの直線状接合部が形成され、２つのパネル要素１８ｅによって平坦部が形成され、更に１つのパネル要素１８ｅの一辺（１１１８）を共用して山折りの直線状接合部が形成され、平坦な傾斜部が更にもう１つのパネル要素１８ｅとによって形成され、平坦部を形成するパネル要素１８ｉとの間に谷折りの直線状接合部が形成される。
【００７９】
第５行では、左から右へ向かって、パネル要素１８ａ、パネル要素１８ｂ、パネル要素１８ｅ、パネル要素１８ｅ、パネル要素１８ｂ及びパネル要素１８ａが順次接合される。
【００８０】
パネル要素１８ａによって平坦部が形成され、パネル要素１８ｂの一辺（１４１４）とパネル要素１８ｅの一辺（１４１４）とによって谷折りの直線状接合部が形成され、パネル要素１８ｅの一辺（１４１４）とパネル要素１８ｂの一辺（１４１４）とによって谷折りの直線状接合部が形成され、パネル要素１８ａによって平坦部が形成される。
【００８１】
以上に示した本実施の形態の各モジュール式パネル１〜３によれば、パネル構成要素としての各パネル要素が実質的に平坦な壁面を有し、かつ各側縁が直線状の接合部を介して互いに組み合わされ、立体的に構築される構造であるので、各パネル要素の側縁が直線形状をなしていることによってそれぞれの各側縁を互いに接合するのが容易となり、各パネル要素の側縁の直線長ささえ適合させれば組み合わせの自由度が高くなり、それらを組み合わせて各モジュール式パネルを構築する作業が容易になる。
【００８２】
しかも、実質的に平坦な壁面を有し、各側縁が直線形状である各パネル要素の材質として、既存の板材等を使用することができるので、各パネル要素を容易かつ安価に作製することができる。例えば、クライミングウォールの材質が従来のようにＦＲＰ（繊維強化プラスチック）パネルやＧＲＣ（グラスファイバー強化コンクリート）パネルである場合に比べて、製作費が１／１０程度ですむ。
【００８３】
更に、立体クライミングウォールを構成するこれまでのモジュール式パネルは曲面タイプであったので、取付け可能なホールドの個数や位置、サイズに制限があることは既述した。
【００８４】
これに対して、図１〜図３に示すモジュール式パネル１〜３は、図４（Ａ）に例示するパネル要素接合体１８Ｇのような三角形を主体にした平面パネル要素を組み合わせて立体的に組み上げる構造であるため（他の平面パネル要素も同様）、図４（Ｂ）に示すように、平坦な底面を有するアウターホールド１９ａ、１９ｂ及び１９ｃ等のようにそれぞれサイズの異なるホールドを、パネル要素接合体１８Ｇの平坦な登攀面１５の所望の位置に安定した状態で密着して取付けることができ、ホールドを安定して取付けできる取付け可能領域や、ホールドの個数を増大させ、またそのサイズも大きくすることができる。
【００８５】
クライミングウォールでは、一定の面積に多くのクライミングルートを設けるために、単位面積あたりで数多くのホールドを設置できる程有利となる。本実施の形態では、それに十分に対応できるパネルを提供できる。
【００８６】
通常の曲面パネルの場合は、可能なホールドの設置数は８個／ｍ2位である。しかし、本実施の形態による平面パネル要素で構成した場合には、可能なホールドの設置数は２０個／ｍ2位に増大させることが可能となる。また、ホールドのサイズも、直径５ｃｍ程度から１ｍ位まで様々であるが、上記した平面パネル要素で構成した場合には、直径１ｍクラスのホールドが取付け可能となる。
【００８７】
＜パネル要素とその接合体＞
次に、各モジュール式パネルを構成する各パネル要素とその接合体について更に詳細に説明する。
【００８８】
垂直投影形状
組換え可能なモジュール式パネルを構築するためには、上述した単位区画について正面から後方へ垂直に投影された垂直投影面の形状はすべて、例えば、正方形、正三角形又は正六角形等とするのが望ましい。
【００８９】
基本構造
例えば、垂直投影面の形状が正方形の場合に、各モジュール式パネル全体の寸法は特に規定しないが、各パネルを構成する各パネル要素（共役パネル要素）の寸法については、下記のように規定することができる。
【００９０】
まず、垂直投影面の形状が正方形であることから、垂直投影面の外周を形成する各パネル要素の各辺はそれぞれ同一の寸法となる。また、垂直投影面に奥行きを加えて立体を構成する際に、その奥行き寸法は、例えば、第１の高さをｈとした場合に、第１の高さｈを２倍にして第２の高さ２ｈとし、第１の高さｈを３倍にして第３の高さ３ｈとすることができる。
【００９１】
各パネル要素のそれぞれの辺の寸法は、図５に示す５種類から選ばれる下記のいずれかになる（なお、点Ａ１を寸法の基点とする）。
【００９２】
Ｌ１：垂直投影面の辺の寸法（Ａ１−Ｂ１）
Ｌ２：垂直投影面の点Ａ１と点Ｂ１から第１の高さｈの点Ｂ２とを結ぶ直線の寸法（Ａ        １−Ｂ２）
Ｌ３：垂直投影面の点Ａ１点Ｂ１から第２の高さ２ｈの点Ｂ３とを結ぶ直線の寸法（Ａ        １−Ｂ３）
Ｌ４：垂直投影面の点Ａ１と第１の高さｈの点Ｃ２とを結ぶ対角線の寸法（Ａ１−Ｃ２        ）
Ｌ５：垂直投影面の点Ａ１と第２の高さ２ｈの点Ｃ３とを結ぶ対角線の寸法（Ａ１−Ｃ        ３）
【００９３】
具体的な数字を挙げて説明すると、下記の通りである。ただし、本発明の適用範囲としては、垂直投影面と各高さの数値は限定されるものではなく、全てのサイズに適用できるものとする。従って、下記の数値はあくまで一例であり、これに限らなくてもよい。
【００９４】
Ｌ１：垂直投影面の辺の寸法（Ａ１−Ｂ１）＝１０００
垂直投影面に直角方向の第１の高さｈの寸法（Ｂ１−Ｂ２）＝５００
垂直投影面に直角方向の第２の高さ２ｈの寸法（Ｄ１−Ｄ３又はＢ１−Ｂ３）＝１００        ０
Ｌ２：垂直投影面の点Ａ１と第１の高さｈの点Ｂ２とを結ぶ直線の寸法（Ａ１−Ｂ２）        ＝１１１８
Ｌ３：垂直投影面の点Ａ１と第２の高さ２ｈの点Ｂ３とを結ぶ直線の寸法（Ａ１−Ｂ３        ）＝１４１４
Ｌ４：垂直投影面の点Ａ１と第１の高さｈの点Ｃ２とを結ぶ対角線の寸法（Ａ１−Ｃ２        ）＝１５００
Ｌ５：垂直投影面の点Ａ１と第２の高さ２ｈの点Ｃ３とを結ぶ対角線の寸法（Ａ１−Ｃ        ３）＝１７３２
【００９５】
パネル要素の形状及び寸法
次に、各パネル要素の形状及び寸法を説明する。
【００９６】
図６〜図９に示すように、モジュール式パネル１、モジュール式パネル２及びモジュール式パネル３からなる各クライミングウォールを構成するパネル要素は、下記の形状及びサイズ（数字の単位はｍｍ）を有する平板ａ〜ｍ（パネル要素１８ａ〜パネル要素１８ｍ）のいずれかからなる。
【００９７】
パネル要素ａ〜ｍ：
例えば、図６に示すように、パネル要素１８ａは、一辺が１０００の正方形の平板であり、対角で分割すると、パネル要素１８ｂと同等の三角形の平板となる。
【００９８】
パネル要素１８ｂは、各辺がそれぞれ１０００−１０００−１４１４の直角三角形の平板である。
【００９９】
パネル要素１８ｃは、各辺がそれぞれ１０００−１１１８−１５００の直角三角形の平板である。
【０１００】
パネル要素１８ｄは、各辺がそれぞれ１１１８−１０００−１５００の直角三角形の平板である。
【０１０１】
図７に示すように、パネル要素１８ｅは、各辺がそれぞれ１１１８−１１１８−１４１４の二等辺三角形の平板である。
【０１０２】
パネル要素１８ｆは、各辺がそれぞれ１４１４−１１１８−１５００の三角形の平板である。
【０１０３】
パネル要素１８ｇは、各辺がそれぞれ１４１４−１５００−１１１８の三角形の平板である。
【０１０４】
パネル要素１８ｈは、各辺がそれぞれ１０００−１４１４−１０００−１４１４の四角形の平板であり、対角で分割すると、後述するパネル要素１８ｋ、１８ｌと同等の三角形の平板となる。
【０１０５】
図８に示すように、パネル要素１８ｉは、各辺がそれぞれ１０００−１１１８−１０００−１１１８の四角形の平板であり、対角で分割すると、パネル要素１８ｃとパネル要素１８ｄと同等の三角形の平板となる。
【０１０６】
パネル要素１８ｊは、各辺がそれぞれ１４１４−１４１４−１４１４の正三角形の平板である。
【０１０７】
パネル要素１８ｋは、各辺がそれぞれ１４１４−１０００−１７３２の直角三角形の平板である。
【０１０８】
パネル要素１８ｌは、各辺がそれぞれ１４１４−１７３２−１０００の直角三角形の平板である
【０１０９】
図９に示すように、パネル要素１８ｍは、各辺がそれぞれ１７３２−１１１８−１１１８の二等辺三角形の平板である。
【０１１０】
ユニット形状（パネル要素の組み合わせ）
次に、各ユニット（２つのパネル要素の接合体又は単独のパネル要素からなる単位区画：垂直投影面が１０００×１０００）の形状について説明する。
【０１１１】
図１０〜図１６に示すように、上述のパネル要素１８ａ〜パネル要素１８ｍを選択し、直線状の接合部を共用したいわば共役型のモジュール式パネル１〜３は、下記のようなパネル要素又はその接合体(以下、ユニットと称する。）によって組み上げられる。
【０１１２】
下記の２４種類のユニットの投影された投影面は、全て一辺が１０００の正方形である。そのため、隣接し合ったユニットの共役辺の長さを同一にして構築すれば、連続した立体構造で、ユニットの組み合わせにより表面形状を任意に変更できるいわば不定形のクライミングウォールを構築することができ、例えば、各ユニットの配置を変更することにより、各種の立体形状に再構築することが可能となる。
【０１１３】
パネル要素又はその組み合わせ（Ａ）〜（Ｘ）：
図１０（Ａ）に示すパネル要素１８ａは、一辺が１０００の正方形の平板である。
【０１１４】
図１０（Ｂ）に示すパネル要素接合体１８Ｂは、パネル要素１８ｂとパネル要素１８ｅとからなる。パネル要素１８ｂの一辺（１４１４）とパネル要素１８ｅの一辺（１４１４）とが共役して接合し、谷折りの直線状接合部を形成する。
【０１１５】
図１０（Ｃ）に示すパネル要素接合体１８Ｃは、パネル要素１８ｃとパネル要素１８ｄとからなる。パネル要素１８ｃの一辺（１５００）とパネル要素１８ｄの一辺（１５００）とが共役して接合し、山折りの直線状接合部を形成する。
【０１１６】
図１０（Ｄ）に示すパネル要素１８ｉは、各辺がそれぞれ１０００−１１１８−１０００−１１１８の長方形の平板である。
【０１１７】
図１０（Ｅ）に示すパネル要素接合体１８Ｅは、パネル要素１８ｂとパネル要素１８ｅとからなる。パネル要素１８ｂの一辺（１４１４）とパネル要素１８ｅの一辺（１４１４）とが共役して接合し、山折りの直線状接合部を形成する。
【０１１８】
図１０（Ｆ）に示すパネル要素接合体１８Ｆは、パネル要素１８ｃとパネル要素１８ｄとからなる。パネル要素１８ｃの一辺（１５００）とパネル要素１８ｄの一辺（１５００）とが共役して接合し、谷折りの直線状接合部を形成する。
【０１１９】
図１１（Ｇ）に示すパネル要素接合体１８Ｇは、パネル要素１８ｃとパネル要素１８ｄとからなる。パネル要素１８ｃの一辺（１５００）とパネル要素１８ｄの一辺（１５００）とが共役して接合し、山折りの直線状接合部を形成する。
【０１２０】
図１１（Ｈ）に示すパネル要素接合体１８Ｈは、パネル要素１８ｂとパネル要素１８ｊとからなる。パネル要素１８ｂの一辺（１４１４）とパネル要素１８ｊの一辺（１４１４）とが共役して接合し、谷折りの直線状接合部を形成する。
【０１２１】
図１０（Ｉ）に示すパネル要素接合体１８Ｉは、パネル要素１８ｄとパネル要素１８ｆとからなる。パネル要素１８ｄの一辺（１５００）とパネル要素１８ｆの一辺（１５００）とが共役して接合し、谷折りの直線状接合部を形成する。
【０１２２】
図１２（Ｊ）に示すパネル要素接合体１８Ｊは、パネル要素１８ｃとパネル要素１８ｇとからなる。パネル要素１８ｃの一辺（１５００）とパネル要素１８ｇの一辺（１５００）とが共役して接合し、谷折りの直線状接合部を形成する。
【０１２３】
図１２（Ｋ）に示すパネル要素１８ｈは、それぞれの辺が１０００−１４１４−１０００−１４１４の長方形の平板である。
【０１２４】
図１２（Ｌ）に示すパネル要素接合体１８Ｌは、パネル要素１８ｃとパネル要素１８ｆとからなる。パネル要素１８ｃの一辺（１５００）とパネル要素１８ｆの一辺（１５００）とが共役して接合し、山折りの直線状接合部を形成する。
【０１２５】
図１３（Ｍ）に示すパネル要素接合体１８Ｍは、パネル要素１８ｄとパネル要素１８ｇとからなる。パネル要素１８ｄの一辺（１５００）とパネル要素１８ｇの一辺（１５００）とが共役して接合し、山折りの直線状接合部を形成する。
【０１２６】
図１３（Ｎ）に示すパネル要素接合体１８Ｎは、２つのパネル要素１８ｅからなる。１つのパネル要素１８ｅの一辺（１４１４）ともう１つのパネル要素１８ｅの一辺（１４１４）とが共役して接合し、平坦部を形成する。
【０１２７】
図１３（Ｏ）に示すパネル要素接合体１８Ｏは、パネル要素１８ｃとパネル要素１８ｇとからなる。パネル要素１８ｃの一辺（１５００）とパネル要素１８ｇの一辺（１５００）とが共役して接合し、山折りの直線状接合部を形成する。
【０１２８】
図１４（Ｐ）に示すパネル要素接合体１８Ｐは、パネル要素１８ｄとパネル要素１８ｆとからなる。パネル要素１８ｄの一辺（１５００）とパネル要素１８ｆの一辺（１５００）とが共役して接合し、山折りの直線状接合部を形成する。
【０１２９】
図１４（Ｑ）に示すパネル要素接合体１８Ｑは、２つのパネル要素１８ｊからなる。１つのパネル要素１８ｊの一辺（１４１４）ともう１つのパネル要素１８ｊの一辺（１４１４）とが共役して接合し、谷折りの直線状接合部を形成する。
【０１３０】
図１４（Ｒ）に示すパネル要素接合体１８Ｒは、２つのパネル要素１８ｅからなる。１つのパネル要素１８ｅの一辺（１４１４）ともう１つのパネル要素１８ｅの一辺（１４１４）とが共役して接合し、谷折りの直線状接合部を形成する。
【０１３１】
図１５（Ｓ）に示すパネル要素接合体１８Ｓは、パネル要素１８ｌとパネル要素１８ｍとからなる。パネル要素１８ｌの一辺（１７３２）とパネル要素１８ｍの一辺（１７３２）とが共役して接合し、山折りの直線状接合部を形成する。
【０１３２】
図１５（Ｔ）に示すパネル要素接合体１８Ｔは、パネル要素１８ｋとパネル要素１８ｍとからなる。パネル要素１８ｋの一辺（１７３２）とパネル要素１８ｍの一辺（１７３２）とが共役して接合し、山折りの直線状接合部を形成する。
【０１３３】
図１５（Ｕ）に示すパネル要素接合体１８Ｕは、パネル要素１８ｄとパネル要素１８ｇとからなる。パネル要素１８ｄの一辺（１５００）とパネル要素１８ｇの一辺（１５００）とが共役して接合し、谷折りの直線状接合部を形成する。
【０１３４】
図１６（Ｖ）に示すパネル要素接合体１８Ｖは、パネル要素１８ｃとパネル要素１８ｆとからなる。パネル要素１８ｃの一辺（１５００）とパネル要素１８ｆの一辺（１５００）とが共役して接合し、谷折りの直線状接合部を形成する。
【０１３５】
図１６（Ｗ）に示すパネル要素接合体１８Ｗは、パネル要素１８ｋとパネル要素１８ｍとからなる。パネル要素１８ｋの一辺（１７３２）とパネル要素１８ｍの一辺（１７３２）とが共役して接合し、谷折りの直線状接合部を形成する。
【０１３６】
図１６（Ｘ）に示すパネル要素接合体１８Ｘは、パネル要素１８ｌとパネル要素１８ｍとからなる。パネル要素１８ｌの一辺（１７３２）とパネル要素１８ｍの一辺（１７３２）とが共役して接合し、谷折りの直線状接合部を形成する。
【０１３７】
以上、本発明を実施の形態に基づいて説明したが、本発明はこれらの例に何ら限定されるものではなく、発明の主旨を逸脱しない範囲で適宜変更可能であることは言うまでもない。
【０１３８】
例えば、上述の実施の形態の構成は、三角形の各パネル要素が主体であり、三角形の各パネル要素の組み合わせ又は三角形と四角形の各パネル要素の組み合わせから構成されるが、同種又は異種の種々の多角形の各パネル要素を種々に組み合わせてもよい。場合によっては、３種又はそれ以上のパネル要素の接合によってユニット（単位区画）を形成してよい。
【０１３９】
また、パネル要素接合体のサイズを小さくすることによりホールドを形成してよいし、ホールドのない人工壁を構築することもできる。上述の実施の形態による人工壁は、リードクライミングとボルダリングのいずれか一方に適用可能であり、或いは双方に兼用することもできる。
【０１４０】
その他、人工壁の構成部分を公知のように変更してよく、例えばホールドはアウターホールドに限られず、インナーホールドとしてもよい。
【０１４１】
なお、本発明の人工壁は、クライミングウォールだけでなく、建築物の壁面や一般の路面等に適用することもできる。
【産業上の利用可能性】
【０１４２】
本発明の人工壁は、多数個の各種サイズのホールドを安定に取付け可能なフリークライミング用として好適なものである。
【図面の簡単な説明】
【０１４３】
【図１】本発明の実施の形態によるクライミングウォールを構築するモジュール式パネル１の一部分の斜視図（Ａ）及び（Ｂ）である。
【図２】同、モジュール式パネル２の一部分の斜視図（Ａ）及び（Ｂ）である。
【図３】同、モジュール式パネル３の一部分の斜視図（Ａ）及び（Ｂ）である。
【図４】同、パネル要素の組み合わせを示す斜視図（Ａ）及びアウターホールド取付け状態の部分断面図（Ｂ）である。
【図５】同、モジュール式パネルのパネル要素の辺長を決めるための立体模式図である。
【図６】同、パネル要素を順次示す平面図である。
【図７】同、パネル要素を順次示す平面図である。
【図８】同、パネル要素を順次示す平面図である。
【図９】同、パネル要素を示す平面図である。
【図１０】同、パネル要素又はその組み合わせを順次示す斜視図である。
【図１１】同、パネル要素の組み合わせを順次示す斜視図である。
【図１２】同、パネル要素又はその組み合わせを順次示す斜視図である。
【図１３】同、パネル要素の組み合わせを順次示す斜視図である。
【図１４】同、パネル要素の組み合わせを順次示す斜視図である。
【図１５】同、パネル要素の組み合わせを順次示す斜視図である。
【図１６】同、パネル要素の組み合わせを順次示す斜視図である。
【図１７】従来例による人工壁の斜視図（Ａ）及びアウターホールド取付け部の部分断面図（Ｂ）である。
【図１８】同、別の人工壁のパネル要素の組み合わせを示す斜視図である。
【図１９】同、パネル要素の斜視図（Ａ）及びアウターホールド取付け状態の部分断面図（Ｂ）である。
【符号の説明】
【０１４４】
１５…登攀面、
１８ａ、１８ｂ、１８ｃ、１８ｄ、１８ｅ、１８ｆ、１８ｇ、１８ｈ、１８ｉ、１８ｊ、１８ｋ、１８ｌ、１８ｍ…パネル要素、
１８Ｂ、１８Ｃ、１８Ｅ、１８Ｆ、１８Ｇ、１８Ｈ、１８Ｉ、１８Ｊ、１８Ｌ、１８Ｍ、１８Ｎ、１８Ｏ、１８Ｐ、１８Ｑ、１８Ｒ、１８Ｓ、１８Ｔ、１８Ｕ、１８Ｖ、１８Ｗ、１８Ｘ…パネル要素接合体、
１９ａ、１９ｂ、１９ｃ…アウターホールド
【図１】
2007222202.tif 000003
【図２】
2007222202.tif 000004
【図３】
2007222202.tif 000005
【図４】
2007222202.tif 000006
【図５】
2007222202.tif 000007
【図６】
2007222202.tif 000008
【図７】
2007222202.tif 000009
【図８】
2007222202.tif 000010
【図９】
2007222202.tif 000011
【図１０】
2007222202.tif 000012
【図１１】
2007222202.tif 000013
【図１２】
2007222202.tif 000014
【図１３】
2007222202.tif 000015
【図１４】
2007222202.tif 000016
【図１５】
2007222202.tif 000017
【図１６】
2007222202.tif 000018
【図１７】
2007222202.tif 000019
【図１８】
2007222202.tif 000020
【図１９】
2007222202.tif 000021